(57)【要約】      （修正有）【課題】装置や物品へ容易に取り付け可能で、強固かつ確実に物品を接地面に固定可能なブリッジ型固定具を提供する。【解決手段】物品が載置される設置面に物品を固定するブリッジ型固定具１０であって、二つの設置面固定部３と、二つの設置面固定部３を結ぶブリッジ部１とを備え、二つの設置面固定部３のそれぞれ一方の面が設置面に固着され、他方の面がブリッジ部１を固定する連結部を有し、ブリッジ部１が物品を二つの設置面固定部３を介して設置面へ固定する。【選択図】図１
2017074092.tif 000002
【特許請求の範囲】
【請求項１】
物品が載置される設置面に前記物品を固定するブリッジ型固定具であって、
二つの設置面固定部と、前記二つの設置面固定部を結ぶブリッジ部とを備え、
前記二つの設置面固定部のそれぞれ一方の面が前記設置面に固着され、他方の面が前記ブリッジ部を固定する連結部を有し、
前記ブリッジ部が前記物品を前記二つの設置面固定部を介して前記設置面へ固定することを特徴とするブリッジ型固定具。
【請求項２】
前記連結部が、前記設置面固定部の他方の面に固着されたナット部と、該ナット部に他方の面の側から螺合されるボルト部とを有し、前記ボルト部が前記ブリッジ部に設けられた貫通穴に挿通されて前記ナット部に螺合されることを特徴とする請求項１に記載のブリッジ型固定具。
【請求項３】
前記ブリッジ部が、前記物品の形状に応じたアダプタを有することを特徴とする請求項１または請求項２に記載のブリッジ型固定具。
【請求項４】
前記ブリッジ部が、平面視コの字型の切れ込みを有し、このコの字型の切れ込みの巾が前記物品のL字脚の巾より大きく、該L字脚の厚みに合わせて前記ブリッジ部の高さを調節する高さ調節部を備えていることを特徴とする請求項３に記載のブリッジ型固定具。
【請求項５】
前記高さ調節部が、前記ブリッジ部に設けられた高さ調整用ねじ穴と、前記高さ調整用ねじ穴に螺合され、その先端が前記設置面固定部の他方の面に当接する高さ調整用ねじとを有することを特徴とする請求項４に記載のブリッジ型固定具。
【請求項６】
前記コの字型の切れ込みよりも巾の狭い平面視コの字型の切れ込みを有するアダプタが、前記ブリッジ部と共に前記連結部により前記二つの設置面固定部のそれぞれへ固定されることを特徴とする請求項５に記載のブリッジ型固定具。
【請求項７】
前記ブリッジ部が、前記物品の角に沿って立設される平面視L字型の柱を有することを特徴とする請求項１または請求項２に記載のブリッジ型固定具。
【発明の詳細な説明】
【技術分野】
【０００１】
本発明は、地震等の振動による工作機械、生産機械、什器、本棚及び工場や倉庫に設置
された収納棚が、地震等の振動で床面を移動したり転倒したりすることを防止するための
ブリッジ型固定具に関する。
【背景技術】
【０００２】
従来、工作機械、生産機械などの装置、什器、本棚及び工場や倉庫に設置された収納棚等の物品の移動や転倒を防止するために、装置や物品の底面四隅より下方又は側方に突設された脚部を接地面になる床面に固定する耐震用固定具が各種提案されている。
【０００３】
従来装置や物品を床面に固定するにはアンカーボルトを用いていた。アンカーボルトは床面に穴を開ける工事が必要で床を傷めるという難点が有る。また、装置や物品の移動の度に穴開け工事が必要になるという問題点が有った。そこで床面への固定に接着剤や両面テープを使う固定具が提案されている。
【０００４】
例えば特許文献１には、下面に粘着マットを備えた転倒防止用固定具において、脚部の下に設けた支持板の上面に支持枠を立設し、支持枠を水平方向の内外に貫通するボルトを進退自在に螺合し、ボルトの先端を押圧板を介して脚部に押圧させることで支脚を押圧板と支持枠との間で挟持させるようにした転倒防止用固定具が開示されている。
【先行技術文献】
【特許文献】
【０００５】
【特許文献１】特開２００８−１７３２２４号公報
【発明の概要】
【発明が解決しようとする課題】
【０００６】
しかしながら、特許文献１に開示される固定具は、脚部の下に支持板を設ける構成となっており、重量物で持ち上げが困難な物品には適用不可能であった。また、固定を要する装置や物品には、脚部が水平方向へ出ているものや、脚部を持たず直置きされるものも多いが特許文献１に開示された構成では対応が難しい。
【課題を解決するための手段】
【０００７】
この発明の目的は、上述した事情に鑑みなされたもので、装置や物品へ容易に取り付けられるブリッジ型固定具を提供することである。
【０００８】
また、この発明の別の目的は、強固かつ確実に装置や物品を接地面に固定可能なブリッジ型固定具を提供することである。
【０００９】
上述した課題を解決し、目的を達成するため、この発明に係わるブリッジ型固定具は、物品が載置される設置面に前記物品を固定するブリッジ型固定具であって、二つの設置面固定部と、前記二つの設置面固定部を結ぶブリッジ部とを備え、前記二つの設置面固定部のそれぞれ一方の面が前記設置面に固着され、他方の面が前記ブリッジ部を固定する連結部を有し、前記ブリッジ部が前記物品を前記二つの設置面固定部を介して前記設置面へ固定することを特徴とする。
【００１０】
このブリッジ型固定具は設置面固定部が2個あるので、設置面固定部が1個のものに比べ大きな接着力を得ることができる。
【００１１】
また、目的を達成するため、この発明に係わるブリッジ型固定具は、請求項２の記載によれば、前記連結部が、前記設置面固定部の他方の面に固着されたナット部と、該ナット部に他方の面の側から螺合されるボルト部とを有し、前記ボルト部が前記ブリッジ部に設けられた貫通穴に挿通されて前記ナット部に螺合されることを特徴とするので、ブリッジ部が強固に設置面固定部と接続される。
【００１２】
また、目的を達成するため、この発明に係わるブリッジ型固定具は、請求項３の記載によれば、前記ブリッジ部が、前記物品の形状に応じたアダプタを有することを特徴とするので、様々な寸法や形状の物品に対応することができる。
【００１３】
また、目的を達成するため、この発明に係わるブリッジ型固定具は、請求項４の記載によれば、前記ブリッジ部が、平面視コの字型の切れ込みを有し、このコの字型の切れ込みの巾が前記物品のL字脚の巾より大きく、該L字脚の厚みに合わせて前記ブリッジ部の高さを調節する高さ調節部を備えていることを特徴とする。この特徴により物品に備えられるL字脚の巾や厚みに柔軟に対応することができる。
【００１４】
また、目的を達成するため、この発明に係わるブリッジ型固定具は、請求項５の記載によれば、前記高さ調節部は、前記ブリッジ部に設けられた高さ調整用ねじ穴と、前記高さ調整用ねじ穴に螺合され、その先端が前記設置面固定部の他方の面に当接する高さ調整用ねじとを有することを特徴とする。これにより、様々な巾や厚みを持つL字脚に対応することができる。
【００１５】
また、目的を達成するため、この発明に係わるブリッジ型固定具は、請求項６の記載によれば、前記コの字型の切れ込みよりも巾の狭い平面視コの字型の切れ込みを有するアダプタが、前記ブリッジ部と共に前記連結部により前記二つの設置面固定部のそれぞれへ固定される事を特徴とする。このアダプタを使うことで様々な形状のL字脚に対応することができる。
【００１６】
また、目的を達成するため、この発明に係わるブリッジ型固定具は、請求項７の記載によれば、前記ブリッジ部が、前記物品の角に沿って立設される平面視L字型の柱を有することを特徴とする。L字脚を持たない装置でも装置や物品の角を押さえることで地震時の装置の移動を防ぐことができる。
【発明の効果】
【００１７】
この発明によれば、物品へ容易に取り付けられるブリッジ型固定具を提供することができる。
【００１８】
また、この発明によれば、強固かつ確実に物品を接地面に固定可能なブリッジ型固定具を提供することができる。
【図面の簡単な説明】
【００１９】
【図１】本発明のブリッジ型固定具の第一の実施例の斜視図である。
【図２】本発明の第一の実施例の側面図である。
【図３】本発明の第二の実施例の斜視図である。
【図４】本発明のブリッジ型固定具の第一の実施例の使用例を示す斜視図である。
【図５】本発明のブリッジ型固定具の第二の実施例の使用例を示す斜視図である。
【図６】従来のL字脚を床面へボルトで固定した状態を示す斜視図である。
【発明を実施するための形態】
【００２０】
＜第一の実施例＞
以下に図面を用いて第一の実施例としての本発明のブリッジ型固定具１０を説明する。図１は、本発明のブリッジ型固定具１０の全体を示す斜視図である。図２はブリッジ型固定具１０の構造を説明するための側面図である。
【００２１】
本発明の第一の実施例のブリッジ型固定具１０は、移動や転倒を防止したい物品としての工作機械、生産機械、什器、本棚及び収納棚等を載置面としての床面に載置するために底面から水平方向へ突設されたL字型脚を設置面３００に固定するブリッジ型固定具である。なお、この第一の実施例においては、物品のL字型脚の例として、図６（Ａ），（Ｂ），（Ｃ）に示すようなものに対して、ブリッジ部で上からＬ字型脚の水平部分を抑えるように設置する。
【００２２】
ブリッジ型固定具１０は、二個の設置面固定部３とこれらを結ぶブリッジ部１で構成される。設置面固定部３は、一方の面が両面接着テープや接着剤等で設置面３００に固着され、他方の面に連結部を構成するボルト４などを備えており、連結部により二つの設置面固定部３と二つの設置面固定部３の間を結ぶブリッジ部１が接続される。
【００２３】
設置面固定部３は、一方の面（下面）が両面接着テープ等で接地面３００に固着される略円盤状の設置面固定部を構成する設置面固定板と、設置面固定板の他方の面（上面）に配置される連結部とを備えている。また、連結部は、設置面固定板の他方の面に、その軸方向が面に垂直となるように固着されるナット部４とナット部４に螺合されるボルト部６とから構成されている。
【００２４】
また、設置面固定部３は、略中心に貫通穴９を有している。また、貫通穴９の穴中心とナット部４のナット穴中心は一致または概略一致していると共に、貫通穴９の穴の直径はナット部４のナット穴の直径と同じか、または若干大きくなっている。また、該貫通穴９の一方面の側の内部には、取り外しの際にボルトをねじ込むことで設置面固定部３を取り外すための金属板を入れても良い。また、本発明の実施例においては、設置面固定板は略円盤状としているが、三角形または四角形等の矩形でも良い。
【００２５】
連結部は、他方の面に固着されたナット部６と、他方の側に設けられた設置面固定部３の他方の面の側から挿通され、ナット部６へ設置面固定部３の他方の面の側から挿通されて螺合されるボルト部４とから構成される。なお、必要に応じて貫通穴９とボルト部６の頭部との間にワッシャやスプリングコイルを配置しても良い。
【００２６】
図２に本発明の第一実施例の側面図を示す。本発明のブリッジ型固定具は二つの設置面固定部３で設置面への固着を行い、設置面固定部のナット６へねじ止めされるボルト４で装置又は物品のL字脚の水平部分を抑えるブリッジ部１を固定して地震時の装置の移動を防止する。
【００２７】
ブリッジ部１には、平面視コの字型の切り込みがあり、この切り込みで筐体のＬ字脚の鉛直部分がはまるように取り付ける。この取り付けにより、地震時の水平方向の動きのブリッジ部を超えようとする力と、ブリッジ部の長手方向に平行な力が抑えられる。
【００２８】
また、Ｌ字脚の鉛直部分の巾に比べブリッジ部の切れ込みの巾が多少大きい程度が望ましいので、Ｌ字脚の鉛直部分の巾に合わせてアダプタ２を用いることが好ましい。アダプタ２はブリッジ部１と共にボルト４により設置面固定部３のナット部６へねじ止めされる。
【００２９】
そしてＬ字脚の水平部分をブリッジ部で抑えるようにブリッジ型固定具を取り付けることで、Ｌ字脚が上方へ持ち上がることを防ぐことができる。
【００３０】
Ｌ字脚の水平部分の厚みは使用される部材により変化する。その厚みの変化に対応してブリッジ部１の床面からの高さを高さ調節部５のねじで行う。ブリッジ部のボルト部を通す穴の近傍に高さ調節用のねじをねじ止め可能なねじ穴を用意する。高さ調節用のねじとこのねじ穴で高さ調節部を構成する。ねじは設置面固定板の上面にねじの先端が当たり、このねじを回転することでブリッジ部１の下面と設置面固定部３の上面との距離を変えることができる。
【００３１】
以上のような構成を有する本発明の第一の実施例のブリッジ型固定具１０では、設置面との固着を二つの設置面固定部３が担い、物品の脚部との挟持をブリッジ部１が担うことで、今まで以上に装置の固定を確実に行うことができる。
【００３２】
また、工場等では物品としての機械の周りには床面は、安全のために作業者のつまずき
の元となる出っ張りが無いようにしなければならない。この点に関して、本発明のブリッジ型固定具では、床面からの高さは低く抑えられているので機械周辺の床面の出っ張りを減らすことが可能である。
【００３３】
＜第二の実施例＞
図３は、本発明のブリッジ型固定具の第二の実施例を示す斜視図である。以下に図面を用いて本発明の第二の実施例としてのブリッジ型固定具１１を説明する。なお、第一の実施例と同等の構成に関しては、同じ符号を付して説明を省略する。
【００３４】
ブリッジ型固定具１１は、一方の面が設置面３００に固着され、他方の面にブリッジ部１を備え、ブリッジ部１にはアダプタとなる平面視Ｌ字柱７が固定されている。ブリッジ部１に固定される物品の形状に応じたアダプタを用意することで多様な固定具を実現することができる。
【００３５】
装置にＬ字型の脚が付着していない場合、装置の筐体の角をＬ字柱７で抑えることで、水平方向への移動を阻止することができる。
【００３６】
以上の第一実施例のブリッジ型固定具１０及び第二の実施例のブリッジ型固定具１１を、固定したい物品に取り付ける手順と取り外す手順とを以下に説明する。
【００３７】
第一実施例のブリッジ型固定具１０の取り付けの手順は以下の通りである。最初に、装置のＬ字脚の鉛直部の巾とブリッジ部または必要に応じてアダプタのコの字の切れ込みの巾を合わせて、仮置きをする。
【００３８】
次に、仮置きされたブリッジ部のボルトを通す穴の真下に設置面固定部３のナット６が
来るように設置面固定部３の位置を決める。一旦、ブリッジ部１を取り外し、設置面固定
部の一方の面に設けられた両面接着テープの粘着保護フィルムを取り外す。この後、ブリッジ部１をＬ字脚の鉛直部へ嵌め込んだ状態でボルト４をブリッジ部の穴へ通し設置面固定部のナットへ仮止めして、設置面固定部を床面へ接着した後ボルト４を締める。
【００３９】
次に第二の実施例のブリッジ型固定具１１の取り付けについて説明する。先ず、ブリッジ部を取り付けた状態のブリッジ型固定具１１をL字柱が装置又は物品の角に合うように床面に置く。この状態で、設置面固定部の位置を決め床に印を付ける。
【００４０】
次にブリッジ型固定部１１を取り外し、設置面固定部の一方の面に設けられた両面接着テープの粘着保護フィルムを取り外す。この後、L字柱を装置又は物品の角へ沿うようにブリッジ型固定部１１を降ろし、設置面固定部１１を床面へ接着する。
【００４１】
取り外しの手順は以下の通りである。最初に、二つの設置面固定部の連結部のボルト４を緩めて外し設置面固定部３とブリッジ部１との連結を解除する。
【００４２】
次に、ブリッジ部１を設置面固定部３から取り外す。この結果、床面には設置面固定部３のみが残るので、ナット部６をスパナ等で回転させたり、ナット部６にボルトを螺合してボルトを進退させ、ボルトの先端がナット部６内に配置された金属板を押したりすることで、設置面固定部３を床面から取り外す。
【００４３】
以上のように、本発明により、物品のＬ字脚部へ取り付け容易であるとともに、強固かつ確実に物品の脚部を接地面に固定することが可能であるブリッジ型固定具を提供することができる。またＬ字脚部を有さない装置もＬ字柱を持つブリッジ型固定具を用いることで強固かつ確実に装置を設置面へ固定することが可能になり、安全にも配慮したブリッジ型固定具を提供することができる。
【符号の説明】
【００４４】
１  ブリッジ部
２  アダプタ
３  設置面固定部
４  ボルト
５  高さ調整用ねじ
６  ナット
７  Ｌ字柱
９  貫通穴
１０  第一実施例のブリッジ型固定具
１１  第二実施例のブリッジ型固定具
２１、２２  装置や物品の筐体
【図１】
2017074092.tif 000003
【図２】
2017074092.tif 000004
【図３】
2017074092.tif 000005
【図４】
2017074092.tif 000006
【図５】
2017074092.tif 000007
【図６】
2017074092.tif 000008